(57)【要約】【課題】施工が容易な背面側キャビネットのパネルユニットを提供すること。【解決手段】便器本体２１の背面側に配置されるキャビネット３の一の面を構成するパネルユニット１であって、板状のパネル３１と、パネル３１に設けられる照明装置６と、パネル３１に設けられ、照明装置６を点灯及び消灯させるために人体を検知する照明センサ７と、パネル３１におけるキャビネット３の内側の面に配置され、照明装置６及び照明センサ７を駆動する電源８と、備えるパネルユニット１である。【選択図】図４
2020110268.tif 000002
【特許請求の範囲】
【請求項１】
便器本体の背面側に配置されるキャビネットの一の面を構成するパネルユニットであって、
板状のパネルと、
前記パネルに設けられる照明装置と、
前記パネルに設けられ、前記照明装置を点灯及び消灯させるために人体を検知する照明センサと、
前記パネルにおける前記キャビネットの内側の面に配置され、前記照明装置及び前記照明センサを駆動する電源と、備えるパネルユニット。
【請求項２】
前記パネルの前記内側の面に連結され、前記キャビネットの内奥に向かって前記内側の面に対して交差する方向に取り付けられる連結側板をさらに備え、
前記連結側板には、前記照明装置が取り付けられ、
前記照明装置は、前記連結側板の内奥側の端部よりも前記パネルに近い側に配置される、請求項１に記載のパネルユニット。
【請求項３】
前記パネルは、前記便器本体の背面側に配置され、前記キャビネットの前面部を構成する前パネルであり、
前記照明装置及び前記電源は、前記前パネルの背面側に配置され、
前記照明センサは、前記前パネルの前面側に配置される、請求項１又は２に記載のパネルユニット。
【発明の詳細な説明】
【技術分野】
【０００１】
本発明は、パネルユニットに関する。
【背景技術】
【０００２】
従来、便器装置が配置されるトイレ空間内で、便器本体の背面側に背面側キャビネットを配置し、便器装置の給水部や排水部を背面側キャビネットに収容することが知られている。この背面側キャビネットの天面のパネルには、照明装置を配置し、トイレ空間内を照らすように構成することが提案されている（例えば、特許文献１参照）。
【先行技術文献】
【特許文献】
【０００３】
【特許文献１】特開２０１７−５７２号公報
【発明の概要】
【発明が解決しようとする課題】
【０００４】
天面パネルに照明装置を配置した場合、電源等は背面側キャビネットの内部に収容して取り付けることとなる。照明装置及び電源等を背面側キャビネット内のそれぞれ別の場所に取り付けるため、配線等が複雑になり、施工に手間がかかっていた。
【課題を解決するための手段】
【０００５】
本発明は、便器本体（例えば、後述の便器本体２１）の背面側に配置されるキャビネット（例えば、後述の背面側キャビネット３）の一の面を構成するパネルユニット（例えば、後述のパネルユニット１）であって、板状のパネル（例えば、後述の前パネル３１）と、前記パネルに設けられる照明装置（例えば、後述の照明装置６）と、前記パネルに設けられ、前記照明装置を点灯及び消灯させるために人体を検知する照明センサ（例えば、後述の照明センサ７）と、前記パネルにおける前記キャビネットの内側の面に配置され、前記照明装置及び前記照明センサを駆動する電源（例えば、後述の電源８）と、備えるパネルユニットに関する。
【０００６】
前記パネルの前記内側の面に連結され、前記キャビネットの内奥に向かって前記内側の面に対して交差する方向に取り付けられる連結側板（例えば、後述の連結側板５）をさらに備え、前記連結側板には、前記照明装置が取り付けられ、前記照明装置は、前記連結側板の内奥側の端部よりも前記パネルに近い側に配置されることが好ましい。
【０００７】
前記パネルは、前記便器本体の背面側に配置され、前記キャビネットの前面部を構成する前パネルであり、前記照明装置及び前記電源は、前記前パネルの背面側に配置され、
前記照明センサは、前記前パネルの前面側に配置されることが好ましい。
【発明の効果】
【０００８】
本発明によれば、施工が容易な背面側キャビネットのパネルユニットを提供することができる。
【図面の簡単な説明】
【０００９】
【図１】本実施形態のトイレ空間の正面図である。
【図２】本実施形態の背面側キャビネットの背面図である。
【図３】本実施形態のトイレ空間の側面図である。
【図４】本実施形態のトイレ空間の上面図である。
【図５】本実施形態のパネルユニットの斜視図である。
【図６】他の実施形態の前パネル及び巾木の下端近傍を示す拡大した側面図である。
【発明を実施するための形態】
【００１０】
以下、本発明の実施形態について、図面を参照しながら詳細に説明する。
図１は、本実施形態におけるトイレ空間１００の正面図である。
パネルユニット１は、キャビネットとしての背面側キャビネット３の前面を構成し、トイレ空間１００内に配置される。
【００１１】
トイレ空間１００は、便器装置２が配置され、部屋の壁や仕切り等で区画された所定の空間であり、本実施形態では、便所である。トイレ空間１００は、図１に示すように、略直方形の空間であり、長手方向がトイレ空間１００の手前側の入口（図示省略）と入口に対向する奥側とを結ぶ前後方向に沿っている。トイレ空間１００は、奥側の後壁１０１と、後壁１０１の幅方向の一方及び他方の一対の側壁１０２と、出入口用の扉が設けられた前壁（図示省略）と、背面側キャビネット３が設けられる床面１０３と、を有する。
なお、本明細書において、上下方向とは天地方向であり、幅方向とは、図１に示すように、トイレ空間１００の入口側から後壁１０１に向かって、背面側キャビネット３を正面から見た場合の左右を結ぶ横方向を意味する。また、左右とは、背面側キャビネット３を正面から見た場合の左右を意味する。
【００１２】
図２は、背面側キャビネット３の背面図である。図２では、カウンター３３０を省略して示している。図３は、トイレ空間１００の側面図であり、図４は、トイレ空間１００の上面図である。
便器装置２は、図１〜図３に示すように、便器本体２１と、便蓋２２と、給水部２３と、排水部２４と、を有する。
【００１３】
便器本体２１は、上部が開口した凹部が形成されたボウル部２１０を有する平面視略Ｕ字状の容器である。便器本体２１は、使用者が着座して使用する便器を構成する主要部分であり、ボウル部２１０の底部には汚物を排出する排水口が形成されている。便器本体２１は、下端部が床面１０３から上方に離れた位置に配置されている。便器本体２１は、いわゆる壁掛け式であり、便器本体２１が後述する背面側キャビネット３に接続されて、床面１０３から宙に浮いたように設置されている。便器本体２１は、床面１０３から、例えば６０ｍｍ〜１１０ｍｍ程度上方に離れた位置に取り付けられている。
【００１４】
便蓋２２は、便器本体２１のボウル部２１０における開口を覆う蓋であり、後方側にヒンジで接続されて開閉される。
給水部２３は、便器本体２１に排水用の水を供給する機構である。給水部２３は、建物の内部に設けられた給水管（図示省略）に接続され、ボウル部２１０に供給する水を貯水する給水タンク２３０を有する。
排水部２４は、便器本体２１に接続され、便器本体２１の排水口から排出される汚水を下水へ排水するエルボ管２４１及び蛇腹管２４２を有する。エルボ管２４１は、排水口に接続されており、蛇腹管２４２は、エルボ管２４１の下流側端部から床下の下水管へと接続される。
【００１５】
図４は、トイレ空間１００の上面図である。図４では、カウンター３３０を省略して示している。
背面側キャビネット３は、図４に示すように、便器本体２１の背面側と、トイレ空間１００の後壁１０１との間に配置される。背面側キャビネット３は、床面１０３から便器装置２の上部を越えて上方へ延びるとともに、後壁１０１側へ奥行を有する。背面側キャビネット３は、便器装置２のタンクや止水栓等が配置される給水部２３や排水部２４等を覆い隠す棚である。
背面側キャビネット３は、収容部３０と、パネルとしての前パネル３１と、巾木３２と、一対の間口調整材４と、一対の連結側板５と、一対の照明装置６と、照明センサ７（図１参照）と、制御部（図示省略）と、電源８と、を有する。また、これらの構成部のうち前パネル３１、照明装置６、照明センサ７、電源８及び連結側板５は、合せて一体のパネルユニット１を構成し、背面側キャビネット３は、このパネルユニット１を有する。パネルユニット１については、後述する。
【００１６】
収容部３０は、便器本体２１の背面と後壁１０１との間に配置され、便器装置２の給水部２３や排水部２４、便器装置２の電源（図示省略）等の構成部を内部に収容する略直方形の空間である。収容部３０は、フレーム３５０と、補強木３２０と、カウンター３３０と、を有する。
【００１７】
フレーム３５０は、図２に示すように、便器本体２１、給水部２３及び排水部２４等を固定支持する土台を形成する枠体である。フレーム３５０は、一対の縦桟３５１、上桟３５２（図４参照）、及び下桟３５３を有する。
一対の縦桟３５１は、便器本体２１の背面側で、後壁１０１から前方側に所定距離離れた位置に、上下方向に延びる金属製の枠材である。一対の縦桟３５１は、便器本体２１の幅方向の一方及び他方に配置される。縦桟３５１には、後述する前パネル３１を介して便器本体２１が固定される。また、図３に示すように、一対の縦桟３５１の間に、横方向に延びる支持部材３５４が取り付けられ、給水タンク２３０が支持部材３５４に固定支持される。
上桟３５２は収容部３０の上部側で、下桟３５３は収容部３０の下部側で、一対の縦桟３５１の間に横方向に渡される金属製の枠材である。
【００１８】
補強木３２０は、後壁１０１に直接取り付けられる板材であり、収容部３０の上部でフレーム３５０に対向する位置に配置される。
【００１９】
カウンター３３０は、図３に示すように、収容部３０の上部を覆う長方形の板である。カウンター３３０は補強木３２０に回動可能にヒンジで接続され、収容部３０の上部開口を開閉可能な蓋を構成する。カウンター３３０の手前側の縁は、上桟３５２に間接的に支持される。
【００２０】
前パネル３１は、便器本体２１が固定されるフレーム３５０の縦桟３５１に接続されて支持され、便器本体２１の背面側に配置される。前パネル３１は、収容部３０の前側と便器本体２１とを隔てる四角形の板状の部材である。前パネル３１は、便器本体２１の下方から上端部を越えて上下方向に延び、背面側キャビネット３の最前面部を構成する。前パネル３１は、上端側で幅方向に延びる上端縁３１ａと、下端側で幅方向に延びる下端縁３１ｂと、幅方向の一方及び他方で上下方向に延びる側縁３１ｃ、３１ｄとを有する。
【００２１】
前パネル３１の幅方向に沿う寸法は、便器本体２１の幅よりも大きく、前パネル３１は、背面側キャビネット３の幅方向の一方側から他方側へ延びるように配置されている。しかし、図１に示すように、前パネル３１の一対の側端部で上下方向に延びる側縁３１ｃ、３１ｄは、それぞれの側端部に対向するトイレ空間１００の一対の側壁１０２から離れた位置に配置されており、側壁１０２にぴったりと付き合わされてはいない。すなわち、前パネル３１の一対の側端部は、それぞれ一対の側壁１０２から離れて、第１の隙間Ｓ１を有して配置されている。第１の隙間Ｓ１は、例えば５ｍｍ〜４０ｍｍ程度、好ましくは１０ｍｍ〜３５ｍｍ程度であってよい。
【００２２】
前パネル３１は、複数の板が隣接して配置されることで構成されており、上部前板部３１１と、下部右側前板部３１２と、下部左側前板部３１３と、下部中央前板部３１４と、を有する。
【００２３】
上部前板部３１１は、前パネル３１の上部に配置される四角形の一枚の板材である。上部前板部３１１は、縦桟３５１に固定される。
【００２４】
下部右側前板部３１２は、前パネル３１の下部の正面視右側に配置される四角形の板であり、便器本体２１の下方の右側に配置される。下部右側前板部３１２は、ダボと孔の構成により上部前板部３１１に接続されており、また、後述する下部中央前板部３１４に接続されることで、間接的に縦桟３５１に支持される。
【００２５】
下部左側前板部３１３は、前パネル３１の下部の正面視左側に配置される四角形の板であり、便器本体２１の下方の左側に配置される。下部左側前板部３１３は、ダボと孔の構成により上部前板部３１１に接続されており、また、後述する下部中央前板部３１４に接続されることで、間接的に縦桟３５１に支持される。
【００２６】
下部中央前板部３１４は、前パネル３１の下部の正面視中央側に配置される板であり、便器本体２１の形状に沿って上部側が切り欠かれている。下部中央前板部３１４は、便器本体２１の背面側に配置され、縦桟３５１に固定される。
【００２７】
前パネル３１の下端部に沿って延びる下端縁３１ｂ、すなわち、下部右側前板部３１２、下部左側前板部３１３及び下部中央前板部３１４の下端縁は、図１及び図３に示すように、床面１０３から上方に離れた位置に配置されており、床面１０３に直接接続されていない。前パネル３１は、床面１０３から、少なくとも１０ｍｍ以上離れた位置に取り付けられ、好ましくは２０ｍｍ〜５０ｍｍ、例えば３０ｍｍ〜４０ｍｍ程度離れた位置に取り付けられる。
【００２８】
巾木３２は、図３に示すように、縦桟３５１に固定されて前パネル３１の下端部の背面側に配置され、前パネル３１の幅方向の一方から他方に延びる細長い板材である。巾木３２は、前パネル３１の背面と前後方向に重なり、床面１０３に当接する。巾木３２の前面は、前パネル３１の背面に接している。巾木３２は、前パネル３１とは異なる色調に形成されており、例えば、トイレ空間１００の側壁１０２と同系色である。
【００２９】
図５は、前パネル３１に間口調整材４、連結側板５及び照明装置６が取り付けられた状態の斜視図である。間口調整材４は、背面側キャビネット３の上下方向に沿って延びる縦長の板材であり、長手方向側縁４１と、短手方向側縁４２と、長孔４３と、を有する。
長手方向側縁４１は、前パネル３１の側縁３１ｃ、３１ｄに沿って配置される。
短手方向側縁４２は、前パネル３１の幅方向に沿って配置される。
長孔４３は、間口調整材４の上端側及び下端側に短手方向に沿って形成される。
【００３０】
間口調整材４は、図４及び図５に示すように、前パネル３１の背面側で、前パネルの一対の側縁３１ｃ、３１ｄ近傍に、前パネル３１と前後方向に重なるように一対配置される。間口調整材４は、長孔４３に挿通させるビス４４の位置を調整することにより左右方向に移動可能に取り付けられ、間口調整材４の短手方向側縁４２の外側端部が、トイレ空間１００の側壁１０２に当接するように近接させて取り付けられる。間口調整材４は、間口調整材４を側壁１０２に当接させるか、また、施工誤差等で側壁１０２にぴったりと当接しない場合でも、当接するほどに近接させることが可能であればよい。図１及び図５に示すように、間口調整材４の短手方向側縁４２の外側端部は、前パネル３１よりも幅方向の外側に位置する。
【００３１】
間口調整材４は、前パネル３１の背面から後方に離れ、前パネル３１の背面との間に第２の隙間Ｓ２を有して配置される。前パネル３１の背面と間口調整材４との間の第２の隙間Ｓ２の寸法は、前パネル３１の側端部とトイレ空間１００の側壁１０２との間の第１の隙間Ｓ１の寸法よりも大きく、例えば、４０ｍｍ〜６０ｍｍ程度、好ましくは４５ｍｍ〜５５ｍｍ程度である。第２の隙間Ｓ２の方が第１の隙間Ｓ１よりも大きいことで、第２の隙間Ｓ２の奥行きにより前パネル３１の独立性が際立ち、前パネル３１が浮遊しているような浮遊感が実現される。
【００３２】
間口調整材４は、白色、ベージュ、クリーム色等の光を反射させやすい色調及び素材で構成される。白、ベージュ、クリーム色等の白色系の色調は、黒色系や赤色系等と比べると光を反射させやすい。このため、間口調整材４の反射板としての機能を発揮させやすくなる。
【００３３】
間口調整材４は、図１に示すように、間口調整材４の下端部が巾木３２の幅方向外側に配置されており、巾木３２に対していわゆる「縦勝ち」に配置されている。間口調整材４と巾木３２は、正面視で連続したように見え、間口調整材４と巾木３２が前パネル３１の下側の周囲を上部が開口したコの字状に囲んでいるように配置されている。
【００３４】
連結側板５は、前パネル３１の背面と間口調整材４とを連結する板である。連結側板５は、前パネル３１の背面側の面から背面側キャビネット３の内奥に向かって、前パネル３１及び間口調整材４に対して略直交するように取り付けられる。連結側板５は、間口調整材４とほぼ同程度の長さを有する縦長の板材である。連結側板５の幅方向の長さは、第２の隙間Ｓ２に対応する。図４に示すように、連結側板５の前パネル３１側の短手方向の端部における、前パネル３１と接する端面には、前パネル３１側に向かって突出するボス５１が形成されており、前パネル３１の背面側の対応する位置に形成される孔に挿入されて連結される。
【００３５】
図５を参照して、連結側板５と間口調整材４の連結手順について説明する。前パネル３１の幅方向の寸法は、トイレ空間１００の一対の側壁１０２同士の間の距離よりも短いので、前パネル３１の幅方向の外側に第１の隙間Ｓ１が開く。第１の隙間Ｓ１の大きさに応じて、間口調整材４の位置は、便器本体２１寄りか、側壁１０２寄りか、施工現場で位置を調整される。間口調整材４の長孔４３にビス４４を挿通させ、間口調整材４と連結側板５とをＬ字型金具５２で仮留めする。間口調整材４の短手方向側縁４２の外側（トイレ空間１００の側壁１０２側）の端部が側壁１０２に当接するように近接させて左右方向に移動させ、位置を調整した後、間口調整材４の上端側及び下端側に挿通されているビス４４を締め、一対の間口調整材４を固定する。
【００３６】
照明装置６は、前パネル３１の背面側における前パネル３１の両側縁３１ｃ、３１ｄに沿って延びるように一対配置される。詳細には照明装置６は、図４に示すように、前パネル３１の両側縁３１ｃ、３１ｄからやや幅方向中央寄りの位置で、前パネル３１の両側縁３１ｃ、３１ｄの背面と、間口調整材４との間で、連結側板５に取り付けられ、背面側キャビネット３の正面視では視認されない位置に配置される。照明装置６は、連結側板５における内奥側の端部よりも前パネル３１に近い側に配置される。照明装置６は、背面側キャビネット３の一対の側縁３１ｃ、３１ｄ側からトイレ空間１００の一対の側壁１０２に対して光を照射する間接照明装置である。照明装置６は、照明ケース６１と、照明カバー６２と、照明素子及びケーブル（図示省略）とを有する。
【００３７】
照明ケース６１は、内部に照明素子及びケーブルが格納された直方体のケースである。照明ケース６１は、前パネル３１の上下方向の側縁３１ｃ、３１ｄにおける一方側の端部側から他方側の端部側まで延びるように配置される。詳細には、照明ケース６１の長さは、前パネル３１の側縁３１ｃ、３１ｄの長さよりもわずかに短く、照明ケース６１の端部は、前パネル３１の上下方向の端部よりもやや内側に位置している。なお、図４に示すように、照明ケース６１は、前パネル３１の一方の側縁３１ｃ側と他方の側縁３１ｄ側とでは、奥行き方向に互い違いにずれて配置されており、一方の側縁３１ｃ側では前パネル３１の背面から奥側へ離れた位置で連結側板５に取り付けられ、他方の側縁３１ｄ側では前パネル３１の背面に当接するように連結側板５に取り付けられている。
【００３８】
照明カバー６２は、照明ケース６１が取り付けられた状態で、照明ケース６１における少なくとも前パネル３１の幅方向の外側を覆うように取り付けられる。照明カバー６２は、トイレ空間１００の側壁１０２側を向くように配置される。
【００３９】
照明素子は、照明ケース６１の内部に配置されている（図示省略）。照明素子が点灯することで照明装置６が発光する。照明素子は、発光の範囲が前パネル３１の上下方向に亘るように、照明ケース６１内の上下方向に沿って並ぶように配置されている。
【００４０】
照明センサ７は照明装置６に接続される。照明センサ７は、照明装置６を点灯及び消灯させるために便器装置２に近付く人体を検知する、照明用の焦電型赤外線人体検知センサである。照明センサ７は、前パネル３１の前面側に配置され、使用者がトイレ空間１００に入室して、便器装置２に予め設定した所定距離近づくと、人体を検知し、検知結果を制御部へ出力する。照明センサ７は、その検知範囲が便器装置２の便蓋２２又は便座の全閉時において便蓋２２又は便座に干渉しない位置に設定される。図１に示すように、本実施形態では、照明センサ７は、便器装置２の正面視左側、便蓋２２の幅方向の外側で、便蓋２２の上面よりも上方の前パネル３１の表面に配置されている。
【００４１】
制御部は、照明センサ７が人体を検知すると、検知結果に応じて照明装置６を点灯させる。また、制御部はタイマーを有し、照明装置６の点灯後所定時間が経過すると、照明装置６を消灯させる。
【００４２】
電源８は、図１、図２及び図４に示すように、前パネル３１の背面側に配置される。より詳細には、電源８は、電源基板８１を有し、電源ボックス８０内に収容される。
電源基板８１は、照明装置６及び照明センサ７を駆動する電源回路が実装されている。
電源ボックス８０は、電源基板８１を内部に収容する直方体の箱であり、前パネル３１の背面側で左右方向の一方の端部側に配置されている。電源ボックス８０は、長手方向の辺が前パネル３１の上下方向、短手方向の辺が左右方向に沿って延びている。また、電源ボックス８０の厚さ方向の辺は、前パネル３１の背面から収容部３０の奥側へ向かって延びるように配置されている。電源ボックス８０の下端に形成された孔から、電源基板８１に接続されたケーブルが挿通し、収容部３０内にあるトイレ空間内の電源のレセプタクルに差し込まれるようになっている。
【００４３】
次に、図４及び図５を参照して、パネルユニット１について説明する。パネルユニット１は、前パネル３１に連結側板５、照明装置６、照明センサ７及び電源８が収容される電源ボックス８０が取り付けられ、一つの組立体に構成されている。
連結側板５は、前パネル３１の面に略直交し、連結側板５の短手方向の辺が、前パネル３１の背面側からパネルの面に交差して背面側キャビネット３の内奥に向かって延びるように配置されている。
照明装置６は、連結側板５における背面側キャビネット３の外側の面に取り付けられている。照明装置６の奥行方向の寸法Ｄ２は、連結側板５の奥行方向の寸法Ｄ１よりも小さい。
照明センサ７は、前パネル３１の前面側に配置されている。
電源ボックス８０は、前パネル３１の背面側で連結側板５における背面側キャビネットの内側の面に接するように配置されている。電源ボックス８０の厚さ方向の寸法Ｔは、連結側板５の奥行方向の寸法Ｄ１よりも小さい。よって、当然、電源ボックス８０内に収容されている電源８の奥行方向の寸法は、連結側板５の奥行方向の寸法Ｄ１より小さい。
照明装置６及び照明センサ７から延びるケーブルは、電源ボックス８０内の電源基板８１に接続されている。照明装置６及び照明センサ７は、配線が全て完了した状態で連結側板５及び前パネル３１に取り付けられている。
【００４４】
以上の状態で組み立てられたパネルユニット１は、前パネル３１と一対の連結側板５とで、背面側キャビネット３の内奥に向かって開口した上面視略コの字型の外形を有している。前パネル３１と一体に接続された他の構成部品は、連結側板５の奥側の端部よりも前パネル３１側に寄って配置されており、連結側板５の奥行方向の端部からさらに内奥へ超えることはない。パネルユニット１は、前パネル３１の背面側をフレーム３５０に固定することで、背面側キャビネット３に取り付けられる。
【００４５】
本実施形態によれば、以下の効果が奏される。
本実施形態では、便器本体２１の背面側に配置される背面側キャビネット３の前面を構成するパネルユニット１を、板状の前パネル３１と、前パネル３１に設けられる照明装置６と、前パネル３１に設けられ、照明装置６を点灯及び消灯させるために人体を検知する照明センサ７と、前パネル３１における背面側キャビネット３の内側の面に配置され、照明装置６及び照明センサ７を駆動する電源８と、含んで構成した。
パネルユニット１が前パネル３１と、照明装置６と、照明センサ７と、電源８とを備えているので、パネルユニット１を所定の場所に固定するだけで、前パネル３１、照明装置６、照明センサ７及び電源８の全てを一度に背面側キャビネット３に取り付けることができ、施工が極めて容易になる。
【００４６】
本実施形態では、前パネル３１の内側の面に連結され、背面側キャビネット３の内奥に向かって内側の面に対して交差する方向に取り付けられる連結側板５をさらに含んで構成した。また、連結側板５に、照明装置６を取り付け、照明装置６を、連結側板５の内奥側の端部よりも前パネル３１に近い側に配置した。
パネルユニット１の取り付け時には、パネルユニット１の前パネル３１の背面側を下にして壁や周囲の物に立て掛けたり、施工の途中で一時的に他の場所に仮置きすることがある。連結側板５は前パネル３１の背面側で、前パネル３１に対して略直交するように取り付けられるので、連結側板５の奥側の端部が立てかけた壁や周囲の物に当接し、連結側板５の奥側の端部と前パネル３１の背面との間に空間があく。照明装置６が、前パネル３１に略直交するように取り付けられる連結側板５の前パネル３１に近い側に取り付けられ、電源８は前パネル３１の背面に配置されていると、連結側板５と前パネル３１の間に形成された空間に照明装置６や電源８が配置され、前パネル３１により覆われて保護される。よって、施工性が向上し、上記と同様の効果を奏する。
【００４７】
本実施形態では、パネルを、便器本体２１の背面側に配置され、背面側キャビネット３の前面部を構成する前パネル３１とした。また、照明装置６及び電源８を、前パネル３１の背面側に配置し、照明センサ７を、前パネル３１の前面側に配置させた。
これにより、背面側キャビネット３の最も目立つ面の施工が容易になり、背面側キャビネット３全体の施工性を向上させることができる。
【００４８】
以上、本発明の好ましい実施形態について説明したが、本発明は、上述の実施形態に制限されるものではなく、適宜変更が可能である。
例えば、上記実施形態では、背面側キャビネット３の前パネル３１を例に説明したが、これに限られない。背面側キャビネットの一の面を構成するパネルユニットであれば、背面側キャビネットの側面を構成するものであってもよい。この場合、照明装置及び照明センサは、パネルに設けられ、電源は、パネルにおける背面側キャビネットの内側の面に配置されてよい。
【００４９】
図６は、背面側キャビネット３Ａの他の実施形態における前パネル３１Ａ及び巾木３２Ａの下端近傍を示す拡大した側面図である。
図６に示すように、前パネル３１Ａの背面と巾木３２Ａの間に下側用照明装置６００を設けてもよい。下側用照明装置６００は、前パネル３１Ａの下端縁の幅方向に沿って配置される。より具体的には、前パネル３１Ａの下端部の背面側を側面視でＬ字状に切り欠いて、切欠き部３１９を形成する。前パネル３１Ａの下端部の切欠き部３１９及び巾木３２Ａの間に空間を形成し、この空間に下方に向かって照らす下側用照明装置６００を配置する。
下側用照明装置６００から照射される光と、上記実施形態の照明装置６から照射される光とは、前パネル３１Ａの下端部の幅方向外側の角で重なる。前パネル３１Ａの下側の周囲を下側用照明装置６００と照明装置６とが連続して囲むように配置される。これより、前パネルが床面１０３から浮遊した状態であることが視認しやすくなる。
【００５０】
下側用照明装置６００は、背面側キャビネット３の下端縁３１ｂ側からトイレ空間１００の床面１０３に対して光を照射する間接照明装置であってよい。
また、他の下側用照明装置として、前パネルと床面との間に配置して、トイレ空間内を直接照らす直接照明として構成したものでもよい。
【００５１】
また、上記実施形態では、センサ７は焦電式の赤外線人体検知センサであるが、光学式又は超音波式センサ等であってもよい。
【符号の説明】
【００５２】
１      パネルユニット
３      背面側キャビネット（キャビネット）
５      連結側板
６      照明装置
７      照明センサ
８      電源
３１    前パネル（パネル）
【図１】
2020110268.tif 000003
【図２】
2020110268.tif 000004
【図３】
2020110268.tif 000005
【図４】
2020110268.tif 000006
【図５】
2020110268.tif 000007
【図６】
2020110268.tif 000008